(57)【特許請求の範囲】
【請求項１】
繰り返し撮像し、画像データを逐次出力する撮像素子と、
画像を表示する表示部と、
前記画像データに基づく再生画像であって、該画像データの第１範囲を第１解像度で表す第１画像と、前記第１範囲に含まれ、該画像データの前記第１範囲より狭い第２範囲を前記第１解像度より精細な第２解像度で表す第２画像と、前記第１画像内における前記第２画像の位置を前記第１画像内に重ねて示すマークと、前記第１画像と共通の第１範囲を前記第１解像度で表す静止画像であって、前記第１画像上において前記マークの移動前に前記マークが表示されていた位置と共通の位置に前記マークを重ねて表示する第３画像と、を前記表示部にともに表示させる表示制御部と、を備えることを特徴とする電子カメラ。
【請求項２】
請求項１に記載の電子カメラにおいて、
前記撮像素子から前記第１画像用のデータ読み出しと前記第２画像用のデータ読み出しとを時分割で行うデータ読み出し部をさらに備え、
前記表示制御部は、前記データ読み出し部によって読み出された前記第１画像および前記第２画像のデータをそれぞれ用いて前記表示部に複数の画像をともに表示させる電子カメラ。
【請求項３】
請求項２に記載の電子カメラにおいて、
前記データ読み出し部は、前記撮像素子から前記第２画像用のデータを読み出す間引き率を、前記第１画像用のデータを読み出す間引き率より低くする電子カメラ。
【請求項４】
請求項２または３に記載の電子カメラにおいて、
拡大表示の開始または終了を指示するための第１操作部材をさらに備え、
前記第１操作部材から前記拡大表示の開始を指示する信号が送出された場合、前記データ読み出し部が前記撮像素子から前記時分割の読み出しを開始し、前記表示制御部が前記複数の画像を前記表示部にともに表示させる電子カメラ。
【請求項５】
請求項４に記載の電子カメラにおいて、
前記第１操作部材から前記拡大表示の終了を指示する信号が送出された場合、前記データ読み出し部が前記撮像素子から前記第１画像用のデータのみを読み出し、前記表示制御部が前記第１画像を前記表示部に表示させる電子カメラ。
【請求項６】
請求項２に記載の電子カメラにおいて、
前記第２画像の位置の移動を指示するための第２操作部材をさらに備え、
前記第２操作部材からの信号に応じて、前記データ読み出し部が前記第２画像用のデータの読み出し位置を移動させ、前記表示制御部が前記第１画像上で前記マークの表示位置を移動させる電子カメラ。
【請求項７】
請求項６に記載の電子カメラにおいて、
前記表示制御部はさらに、前記第２操作部材から再び信号が送出された場合、前記第１画像と共通の第１範囲を前記第１解像度で表す静止画像であって、前記第２操作部材から前回の信号が送出された際に前記第１画像上において前記マークが表示されていた位置と共通の位置に前記マークを重ねて表示する前記第３画像を、前記第１画像および前記第２画像に加えて前記表示部にともに表示させる電子カメラ。
【請求項８】
請求項７に記載の電子カメラにおいて、
前記表示制御部はさらに、前記第２画像と共通の第２範囲を前記第１解像度で表す静止画像であって、前記第２操作部材から前回の信号が送出された際に得られた前記第２画像を第４画像として、前記第１画像、前記第２画像、および前記第３画像に加えて前記表示部にともに表示させる電子カメラ。
【請求項９】
請求項８に記載の電子カメラにおいて、
前記第２画像が表示される位置の復帰を指示するための第３操作部材をさらに備え、
前記表示制御部はさらに、前記第３操作部材からの信号に応じて、前記第１画像を、前記撮像素子からの画像データに基づく再生画像であって、前記第３画像に対応する前記第１範囲を前記第１解像度で前記表示部に表示させるとともに、前記第２画像を、前記撮像素子からの画像データに基づく再生画像であって、前記第４画像に対応する前記第２範囲を前記第２解像度で前記表示部に表示させる電子カメラ。
【請求項１０】
請求項２〜９のいずれか一項に記載の電子カメラにおいて、
前記第３画像は、ライブビュー表示時に前記データ読み出し部によって読み出された画像データ、または記憶されている画像データに基づいて生成される電子カメラ。
【発明の詳細な説明】
【技術分野】
【０００１】
本発明は、電子カメラに関する。
【背景技術】
【０００２】
撮像素子で撮像されている画像をスルー画像として表示パネルに表示するとともに、該スルー画像の一部を拡大した副画像を表示中の画像に重ねて表示する技術が知られている（特許文献１参照）。【０００３】
【特許文献１】日本国特開２００７−１２４５２１号公報
【発明の開示】
【発明が解決しようとする課題】
【０００４】
しかしながら、上記従来技術には、拡大前の画像と拡大画像とを、どのような解像度で表すのかという点について言及されていない。一般に、撮像素子からのスルー画像表示のためのデータ読み出しは、表示パネルの表示画素数に応じた画素密度で読み出される。したがって、撮像素子が有する画素数より表示パネルの表示画素数が少ない場合には、表示パネルに表示される画像の解像度は撮像素子の画素密度より低いものとなる。この場合、スルー画像の一部を電子的に拡大しても、副画像の解像度は撮像素子の画素密度より低いままである。
【課題を解決するための手段】
【０００５】
本発明の第１の態様によると、電子カメラは、繰り返し撮像し、画像データを逐次出力する撮像素子と、画像を表示する表示部と、画像データに基づく再生画像であって、該画像データの第１範囲を第１解像度で表す第１画像と、第１範囲に含まれ、該画像データの第１範囲より狭い第２範囲を第１解像度より精細な第２解像度で表す第２画像と、第１画像内における第２画像の位置を第１画像内に重ねて示すマークと、第１画像と共通の第１範囲を第１解像度で表す静止画像であって、第１画像上においてマークの移動前にマークが表示されていた位置と共通の位置にマークを重ねて表示する第３画像と、を表示部にともに表示させる表示制御部と、を備えることを特徴とする。
本発明の第２の態様によると、第１の態様の電子カメラはさらに、撮像素子から第１画像用のデータ読み出しと第２画像用のデータ読み出しとを時分割で行うデータ読み出し部を備えてもよい。この場合の表示制御部は、データ読み出し部によって読み出された第１画像および第２画像のデータをそれぞれ用いて表示部に複数の画像をともに表示させることもできる。
本発明の第３の態様によると、第２の態様の電子カメラにおいて、データ読み出し部は、撮像素子から第２画像用のデータを読み出す間引き率を、第１画像用のデータを読み出す間引き率より低くすることもできる。
本発明の第４の態様によると、第２または第３の態様の電子カメラはさらに、拡大表示の開始または終了を指示するための第１操作部材を備えてもよい。第１操作部材から拡大表示の開始を指示する信号が送出された場合、データ読み出し部が撮像素子から時分割の読み出しを開始し、表示制御部が複数の画像を表示部にともに表示させることもできる。
本発明の第５の態様によると、第４の態様の電子カメラにおいて、第１操作部材から拡大表示の終了を指示する信号が送出された場合、データ読み出し部が撮像素子から第１画像用のデータのみを読み出し、表示制御部が第１画像を表示部に表示させることもできる。
本発明の第６の態様によると、第２の態様の電子カメラはさらに、第２画像の位置の移動を指示するための第２操作部材を備えてもよい。第２操作部材からの信号に応じて、データ読み出し部が第２画像用のデータの読み出し位置を移動させ、表示制御部が第１画像上でマークの表示位置を移動させることもできる。
本発明の第７の態様によると、第６の態様の電子カメラにおいて、表示制御部はさらに、第２操作部材から再び信号が送出された場合、第１画像と共通の第１範囲を第１解像度で表す静止画像であって、第２操作部材から前回の信号が送出された際に第１画像上においてマークが表示されていた位置と共通の位置にマークを重ねて表示する第３画像を、第１画像および第２画像に加えて表示部にともに表示させることもできる。
本発明の第８の態様によると、第７の態様の電子カメラにおいて、表示制御部はさらに、第２画像と共通の第２範囲を第１解像度で表す静止画像であって、第２操作部材から前回の信号が送出された際に得られた第２画像を第４画像として、第１画像、第２画像、および第３画像に加えて表示部にともに表示させることもできる。
本発明の第９の態様によると、第８の態様の電子カメラはさらに、第２画像が表示する位置の復帰を指示するための第３操作部材を備えてもよい。この場合の表示制御部はさらに、第３操作部材からの信号に応じて、第１画像を、撮像素子からの画像データに基づく再生画像であって、第３画像に対応する第１範囲を第１解像度で表示部に表示させるとともに、第２画像を、撮像素子からの画像データに基づく再生画像であって、第４画像に対応する第２範囲を第２解像度で表示部に表示させることもできる。
本発明の第１０の態様によると、第２〜第９のいずれかの態様の電子カメラにおいて、第３画像は、ライブビュー表示時にデータ読み出し部によって読み出された画像データ、または記憶されている画像データに基づいて生成されてもよい。
【発明の効果】
【０００６】
本発明によれば、第１範囲を第１解像度で表す第１画像と、第１範囲より狭い第２範囲を精細な第２解像度で表す第２画像とをリアルタイムに確認できる。
【図面の簡単な説明】
【０００７】
【図１】本発明の一実施の形態による電子カメラ１の構成例を説明するブロック図である。
【図２】電子カメラの背面図である。
【図３】ＬＣＤモニタの表示画面を例示する図である。
【図４】ＬＣＤモニタの表示画面を例示する図である。
【図５】ＬＣＤモニタの表示画面を例示する図である。
【図６】ＬＣＤモニタの表示画面を例示する図である。
【図７】ＬＣＤモニタの表示画面を例示する図である。
【図８】メイン処理の流れを説明するフローチャートである。
【図９】縮小スルー画像および高精細スルー画像の撮像タイミングを説明するタイムチャートである。
【図１０】ＬＣＤモニタの表示画面を例示する図である。
【図１１】ＬＣＤモニタの表示画面を例示する図である。
【図１２】(a)はスルー画像３１を読み出す際の説明図である。(b)は高精細スルー画像１３１Ｂを読み出す際の説明図である。
【発明を実施するための最良の形態】
【０００８】
以下、図面を参照して本発明を実施するための最良の形態について説明する。図１は、本発明の一実施の形態による電子カメラ１の構成例を説明するブロック図である。図１において、電子カメラ１は、撮影光学系１１と、撮像素子１２と、ＡＦＥ(Analog front end)回路１３と、画像処理回路１４と、スピーカ駆動回路１５と、スピーカ１６と、ＬＣＤモニタ１７と、ＲＡＭ１８と、フラッシュメモリ１９と、ＣＰＵ２０と、メモリカードインターフェース(I/F)２１と、操作部材２２と、タイミングジェネレータ(TG)２３とを備える。【０００９】
ＣＰＵ２０、ＲＡＭ１８、フラッシュメモリ１９、メモリカードインターフェース２１、画像処理回路１４、スピーカ駆動回路１５およびＬＣＤモニタ１７は、それぞれがバス２４を介して接続されている。【００１０】
撮影光学系１１は、ズームレンズやフォーカシングレンズを含む複数のレンズ群で構成され、被写体像を撮像素子１２の受光面に結像させる。なお、図１を簡単にするため、撮影光学系１１を単レンズとして図示している。【００１１】
ＴＧ２３は、ＣＰＵ２０から送出される指示に応じて所定のタイミング信号を発生し、撮像素子１２、ＡＦＥ回路１３、画像処理回路１４へそれぞれのタイミング信号を供給する。タイミング信号によって撮像素子１２等が駆動制御されることにより、撮像素子１２による撮像タイミングや撮像素子１２からのアナログ画像信号の読み出しタイミングが制御される。【００１２】
撮像素子１２は、受光素子が受光面に二次元配列されたＣＣＤイメージセンサ、またはＣＭＯＳイメージセンサなどによって構成される。撮像素子１２は、撮影光学系１１を通過した光束による被写体像を光電変換してアナログ画像信号を生成する。アナログ画像信号は、ＡＦＥ回路１３に入力される。【００１３】
ＡＦＥ回路１３は、アナログ画像信号に対して相関二重サンプリングやゲイン調整などのアナログ処理を行うとともに、アナログ処理後の画像信号をデジタル画像データに変換する。デジタル画像データは画像処理回路１４に入力される。画像処理回路１４は、デジタル画像データに対して各種の画像処理（色補間処理、階調変換処理、輪郭強調処理、ホワイトバランス調整処理、画像圧縮処理、画像伸張処理など）を施す。【００１４】
スピーカ駆動回路１５は、ＣＰＵ２０から送出された音声データに基づいて、たとえば操作音、注意音、音声メッセージなどの音声再生信号を生成する。スピーカ１６は、音声再生信号に基づいて音声再生を行う。【００１５】
ＬＣＤモニタ１７は液晶パネルによって構成され、ＣＰＵ２０からの指示に応じて画像や操作メニュー画面などを表示する。ＲＡＭ１８はＣＰＵ２０のワークメモリとして使用される。また、ＲＡＭ１８は、後述する静止画像データや画像処理回路１４による画像処理の前工程や後工程でのデジタル画像データを一時的に記憶する。フラッシュメモリ１９は、ＣＰＵ２０に実行させるプログラムを記憶する。【００１６】
ＣＰＵ２０は、フラッシュメモリ１９が記憶するプログラムを実行することによって電子カメラ１が行う動作を統括的に制御する。ＣＰＵ２０は、ＡＦ（オートフォーカス）動作制御や、自動露出（ＡＥ）演算も行う。ＡＦ動作は、たとえば、スルー画像のコントラスト情報に基づいてフォーカシングレンズ（不図示）の合焦位置を求めるコントラスト検出方式を用いる。スルー画像は、撮影指示前に撮像素子１２によって所定の時間間隔（たとえば３０コマ／毎秒）で繰り返し取得されるモニタ用画像のことをいう。ライブビュー画像とも呼ばれる。【００１７】
メモリカードインターフェース２１はコネクタ（不図示）を有し、該コネクタにメモリカードなどの記憶媒体５１が接続される。メモリカードインターフェース２１は、接続された記憶媒体５１に対するデータの書き込みや、記憶媒体５１からのデータの読み込みを行う。記憶媒体５１は、半導体メモリを内蔵したメモリカード、またはハードディスクドライブなどで構成される。【００１８】
操作部材２２は、後述するレリーズボタン２２ａ、ズームスイッチ２２ｂ  ２２ｃ、十字スイッチ２２ｇ、メニュースイッチ２２ｅなどを含む。操作部材２２は、ファンクション操作やメニュー選択操作など、各操作に応じた操作信号をＣＰＵ２０へ送出する。【００１９】
図２は、電子カメラ１の背面図である。電子カメラ１の背面には、ＬＣＤモニタ１７と、ズームスイッチ２２ｂ（Ｔ）と、ズームスイッチ２２ｃ（Ｗ）と、ファンクション（Ｆ）スイッチ２２ｄと、メニュースイッチ２２ｅと、削除スイッチ２２ｆと、十字スイッチ２２ｇと、ＯＫスイッチ２２ｈとが設けられている。【００２０】
電子カメラ１のＣＰＵ２０は、撮影モード時に上述したスルー画像（ライブビュー画像）をＬＣＤモニタ１７に表示させる。図３は、スルー画像を表示するＬＣＤモニタ１７の表示画面を例示する図である。ＬＣＤモニタ１７は、メイン表示領域１７ａと、３つのサブ表示領域１７ｂ〜１７ｄとに表示を行うように表示制御される。３つのサブ表示領域は、上から第１サブ表示領域１７ｂ、第２サブ表示領域１７ｃ、および第３サブ表示領域１７ｄと呼ぶことにする。なお、表示画面の表示形態としては、メイン表示領域１７ａとサブ表示領域１７ｂ〜１７ｄを表示領域別に表示位置を分離して表示する図３の形態に限られるものではない。たとえば、サブ表示領域１７ｂ〜１７ｄを、メイン表示領域１７ａの上に重ねて表示（重畳表示）する形態であってもよい。【００２１】
図３に例示するように、ＣＰＵ２０は通常、ＬＣＤモニタ１７のメイン表示領域１７ａにスルー画像３１を表示させる。そして、スルー画像を高精細に表示させるための拡大操作が行われた場合には、メイン表示領域１７ａに表示させていたスルー画像３１を縮小処理したスルー画像３１Ｂを第１サブ表示領域１７ｂに表示させるとともに（図４）、スルー画像３１のうちマーク３２を含む所定範囲について、解像度がスルー画像３１より高い高精細なスルー画像１３１Ｂを新たに取得してメイン表示領域１７ａに表示させる（図４）。【００２２】
本実施形態の電子カメラ１は、このようなスルー画像の表示制御に特徴を有するので、以降の説明は、スルー画像表示のためにＣＰＵ２０が行う処理を中心に説明する。電子カメラ１のＣＰＵ２０は、不図示のメインスイッチがオン操作されると、メイン処理を行うためのプログラムを起動する。図８は、メイン処理の流れを説明するフローチャートである。図８のステップＳ１０１において、ＣＰＵ２０は、撮像素子１２にスルー画像の撮像を開始させ、取得された画像データに基づくスルー画像をＬＣＤモニタ１７に表示させてステップＳ１０２へ進む（図３）。【００２３】
図３に例示するスルー画像３１は、撮像素子１２から、後述する全画素読み出し方式、あるいは間引き読み出し方式によって読み出された画素のデータのうち、ＬＣＤモニタ１７のメイン表示領域１７ａにおける表示画素数に応じて画素密度変換（後述）されたデータに基づいて表示されたものである。したがって、撮像素子１２が有する画素数に比べてメイン表示領域１７ａにおける表示画素数が少ない場合には、スルー画像３１の解像度を低くするようにデータ読み出し時の間引き率が設定される。なお、撮像素子１２が３０コマ／毎秒で撮像を繰り返す場合、スルー画像３１が３０コマ／毎秒で表示される。ここで、画素密度変換処理について述べる。ＬＣＤの表示画面の走査形式に規定される画素数よりも、撮像素子の読み出し画素数が多い場合には、その走査形式の規定よりも高い画素密度で画像情報が生成されてしまう。そこでこの画素密度の高い画像情報を表示画面の走査形式に合わせた画素密度まで低減する処理のことを画素密度変換処理という。【００２４】
ステップＳ１０２において、ＣＰＵ２０は、拡大表示領域の位置を設定する操作が行われたか否かを判定する。ＣＰＵ２０は、たとえば、ファンクションスイッチ２２ｄの押下操作を示す信号が操作部材２２から入力された場合、ステップＳ１０２を肯定判定してステップＳ１０３へ進む。ＣＰＵ２０は、ファンクションスイッチ２２ｄの押下操作を示す信号が入力されない場合には、ステップＳ１０２を否定判定してステップＳ１０４へ進む。【００２５】
ステップＳ１０３において、ＣＰＵ２０は拡大表示領域の位置情報を受け付ける。具体的には、図３に例示するマーク３２をスルー画像３１に重ねて表示させた上で、十字スイッチ２２ｇからの操作信号を待つ。ＣＰＵ２０は、たとえば、十字スイッチ２２ｇの右方向操作を示す信号を操作部材２２から受けた場合、当該操作信号に応じてスルー画像３１に重ね表示しているマーク３２の位置を画面右の方向へ移動させる。同様に、十字スイッチ２２ｇの下方向操作を示す信号を操作部材２２から受けた場合、当該操作信号に応じてスルー画像３１に重ね表示しているマーク３２の位置を画面下の方向へ移動させる。マーク３２の中心は、拡大表示領域の中心位置に対応する。【００２６】
ステップＳ１０４において、ＣＰＵ２０は、拡大操作が行われたか否かを判定する。ＣＰＵ２０は、ズームスイッチ（Ｔ）２２ｂの押下操作を示す信号が操作部材２２から入力された場合、ステップＳ１０４を肯定判定してステップＳ１０５へ進む。ＣＰＵ２０は、ズームスイッチ（Ｔ）２２ｂの押下操作を示す信号が入力されない場合には、ステップＳ１０４を否定判定してステップＳ１１０へ進む。【００２７】
ステップＳ１０５において、ＣＰＵ２０は図４に例示したように、マーク１３２Ｂを含む所定範囲の高精細スルー画像１３１Ｂをメイン表示領域１７ａに表示させるとともに、縮小処理を施した縮小スルー画像３１Ｂを第１サブ表示領域１７ｂに表示させる。【００２８】
高精細スルー画像１３１Ｂは、スルー画像３１（図３）のうちマーク３２を含む所定範囲について、解像度が高い高精細な画像データとして新しく取得したものである。つまり、マーク３２に対応する所定範囲の撮像素子１２の全画素からデータを読み出し（全画素読み出し方式）、そのデータをＬＣＤモニタ１７のメイン表示領域１７ａにおける表示画素数に応じて画素密度変換したデータとして表示されたものである。高精細スルー画像１３１Ｂの解像度は、間引きしない場合（全画素読み出しの場合）に一番高くなる。なお、変形例として、高精細スルー画像１３１Ｂ用のデータを読み出すには、全画素読み出し方式ではなく間引き読み出し方式としてもよいが、その場合の間引き率は、スルー画像３１用の画像データを読み出す場合の間引き率より低いものにしておく。【００２９】
なお、マーク３２に対応する所定範囲に撮像素子１２が有する画素数と、メイン表示領域１７ａにおける表示画素数とが一致する場合には、データ読み出し時の画素密度変換処理は行わない。このように、マーク１３２Ｂを含む範囲がメイン表示領域１７ａに拡大表示される。高精細スルー画像１３１Ｂに重ねて表示するマーク１３２Ｂは、後述する縮小スルー画像３１Ｂに重ね表示しているマーク３２Ｂに対応する。【００３０】
縮小スルー画像３１Ｂは、スルー画像３１（図３）を構成するデータを間引くなどして縮小処理することにより、メイン表示領域１７ａにおける表示画素数から第１サブ表示領域１７ｂにおける表示画素数へデータ数を減じたものである。縮小スルー画像３１Ｂに重ね表示するマーク３２Ｂは、スルー画像３１に重ね表示していたマーク３２に対応する。ここで、図１２を用いて、縮小スルー画像３１Ｂと高精細スルー画像１３１Ｂとを読み出すときの撮像素子１２の読み出し方法について説明する。図１２(a)は、スルー画像３１を読み出す際の説明図である。撮像素子１２の読み出しラインのうち、１／３ずつ間引きながら読み出されている（図中、斜線部が読み出しライン）。一方、高精細スルー画像１３１Ｂを読み出す際には、拡大エリア部分（マーク３２を含む周辺領域）の全画素が読み出される（図１２(b)の斜線部が読み出しライン）。【００３１】
ステップＳ１０６において、ＣＰＵ２０は、拡大終了操作が行われたか否かを判定する。ＣＰＵ２０は、ズームスイッチ（Ｗ）２２ｃの押下操作を示す信号が操作部材２２から入力された場合、ステップＳ１０６を肯定判定してステップＳ１０９へ進む。ＣＰＵ２０は、ズームスイッチ（Ｗ）２２ｃの押下操作を示す信号が入力されない場合には、ステップＳ１０６を否定判定してステップＳ１０７へ進む。【００３２】
ステップＳ１０７において、ＣＰＵ２０は、第２サブ領域１７ｃに静止画像を表示するための操作が行われたか否かを判定する。ＣＰＵ２０は、たとえば、ファンクションスイッチ２２ｄの押下操作を示す信号と、ＯＫスイッチ２２ｈの押下操作を示す操作信号とが操作部材２２から入力された場合、ステップＳ１０７を肯定判定してステップＳ１０８へ進む。ＣＰＵ２０は、上記操作信号が入力されない場合には、ステップＳ１０７を否定判定してステップＳ１０５へ戻る。ステップＳ１０５へ戻る場合は、図４に例示した表示を継続させる。【００３３】
ステップＳ１０８において、ＣＰＵ２０は、図４に例示した表示に加えて、縮小静止画像３１Ｄを第２サブ表示領域１７ｃに表示させてステップＳ１０５へ戻る（図５）。縮小静止画像３１Ｄは、ステップＳ１０７を肯定判定した時点で第１サブ表示領域１７ｂに表示していた縮小スルー画像３１Ｂのデータをフラッシュメモリ１９に保存しておき、このデータに基づいて表示するものである。３０コマ／毎秒で撮像素子１２から読み出されたデータに基づいて更新表示する縮小スルー画像３１Ｂと異なり、縮小静止画像３１Ｄはフラッシュメモリ１９に保存したデータによる表示を継続する。なお、この保存されるデータには、縮小静止画像３１Ｄの画像データの他に、該画像３１Ｄ内においてマーク１３２Ｂが存在していた座標位置情報（Ｘ，Ｙ位置情報）も含まれる。この座標位置情報に関しては後述する。【００３４】
ステップＳ１０８の後にステップＳ１０５へ戻る場合は、再び図５に例示した表示を行う。そして、ＣＰＵ２０は、十字スイッチ２２ｇからの操作信号の入力があれば、その操作信号に応じて高精細な画像データの読み出し位置、すなわち、拡大表示領域の中心位置を移動させる。たとえば、十字スイッチ２２ｇから右方向操作を示す信号を操作部材２２から受けた場合、当該操作信号に応じて縮小スルー画像３１Ｂに重ね表示しているマーク３２Ｂの位置を画面右の方向へ移動させて、マーク３２Ｃを含む縮小スルー画像３１Ｃを第１サブ表示領域１７ｂに表示する（図６）。これと同時に、ＣＰＵ２０は、マーク１３２Ｃを含む所定範囲の高精細スルー画像１３１Ｃをメイン表示領域１７ａに表示させる（図６）。【００３５】
図６は、ＬＣＤモニタ１７による表示画面を例示する図である。高精細スルー画像１３１Ｃは、マーク３２Ｃに対応する所定範囲の撮像素子１２のデータのうち、ＬＣＤモニタ１７のメイン表示領域１７ａにおける表示画素数に応じて画素密度変換されたデータに基づいて表示されたものである。高精細スルー画像１３１Ｃ用のデータは、全画素読み出しされたものである。なお、マーク３２Ｃに対応する所定範囲に撮像素子１２が有する画素数と、メイン表示領域１７ａにおける表示画素数とが一致する場合には、画素密度変換処理は行わない。このように、マーク１３２Ｃを含む範囲がメイン表示領域１７ａに拡大表示される。【００３６】
ユーザーは、拡大表示領域の中心位置を移動させた後でも、第２サブ領域１７ｃに表示する縮小静止画像３１Ｄ（図６）によって元の拡大表示領域の（拡大領域の変更操作をする前の）中心位置を知ることができる。これにより、たとえば十字スイッチ２２ｇを操作することによって縮小スルー画像３１Ｃに重ね表示するマーク３２Ｂの位置を縮小静止画像３１Ｄに重ね表示されているマークの位置と揃えた場合には、拡大表示領域の中心位置を元の位置に移動させることができ、図５の場合と同様の状態に戻すことが容易である（図７）。【００３７】
ステップＳ１０６を肯定判定して進むステップＳ１０９において、ＣＰＵ２０は拡大表示を終了し、図３の表示画面に戻してステップＳ１１０へ進む。【００３８】
ステップＳ１１０において、ＣＰＵ２０は、レリーズ操作が行われたか否かを判定する。ＣＰＵ２０は、レリーズボタン２２ａの全押し操作を示す信号が入力された場合、ステップＳ１１０を肯定判定してステップＳ１１１へ進む。ＣＰＵ２０は、レリーズボタン２２ａの全押し操作を示す信号が入力されない場合、ステップＳ１１０を否定判定してステップＳ１０１へ戻る。【００３９】
ステップＳ１１１において、ＣＰＵ２０は、撮像素子１２に撮影用の撮像処理を行わせてステップＳ１１２へ進む。スルー画像の場合と異なり、撮像素子１２が有する全画素のデータを読み出す。ＣＰＵ２０は、撮像処理で取得した画像データに基づいて、たとえば、、画像データおよび撮影情報を含むＥｘｉｆ形式の画像ファイルを生成する。Ｅｘｉｆ形式の画像ファイルは、JPEG画像フォーマットの画像データ内にサムネイル画像や撮影情報などのデータを埋め込むようにしたものである。【００４０】
ステップＳ１１２において、ＣＰＵ２０は、画像ファイルを記憶媒体５１へ記録して図８による処理を終了する。【００４１】
ＬＣＤモニタ１７にスルー画像を表示する場合のタイミングを説明する。図９は、図４〜図７，図１０、図１１に示すような、縮小スルー画像（全画面スルー画像）と高精細スルー画像（拡大画像）とをＬＣＤモニタ１７に同時表示する場合において、撮像素子１２が行う縮小スルー画像３１Ｂおよび高精細スルー画像１３１Ｂの撮像タイミングを説明するタイムチャートである。【００４２】
＜拡大表示しない場合＞
図３に例示した画面をＬＣＤモニタ１７に表示する場合、ＣＰＵ２０は撮像素子１２でスルー画像３１のみを撮像させる。上述したように、電子カメラ１は３０コマ／毎秒でスルー画像を表示する。本実施形態では、スルー画像３１の撮像および表示を１／６０秒で行い、表示を継続したまま１／６０秒の間隔をおいて次コマのスルー画像３１の撮像および表示を次の１／６０秒で行う。【００４３】
つまり、１／６０秒の間に撮像素子１２に対するデータ読み出し領域をセットし、撮像素子１２にスルー画像用の撮像を行わせ、読み出した画像データに基づくスルー画像をＬＣＤモニタ１７のメイン表示領域１７ａに表示させる。【００４４】
＜拡大表示する場合＞
図４、図５、図７に例示した画面をＬＣＤモニタ１７に表示する場合、ＣＰＵ２０は撮像素子１２で縮小スルー画像３１Ｂ、および高精細スルー画像１３１Ｂをそれぞれ交互に撮像させる（図９）。また、図６に例示した画面をＬＣＤモニタ１７に表示する場合、ＣＰＵ２０は撮像素子１２で縮小スルー画像３１Ｃ、および高精細スルー画像１３１Ｃをそれぞれ交互に撮像させる（図９）。【００４５】
この場合は、縮小スルー画像３１Ｂ（または３１Ｃ）の撮像および表示を１／６０秒で行い、縮小スルー画像３１Ｂ（または３１Ｃ）をＬＣＤモニタ１７の第１サブ表示領域１７ｂに表示させたまま、高精細スルー画像１３１Ｂ（または１３１Ｃ）の撮像および表示を次の１／６０秒で行い、高精細スルー画像１３１Ｂ（または１３１Ｃ）をＬＣＤモニタ１７のメイン表示領域１７ａに表示させる。【００４６】
つまり、縮小スルー画像３１Ｂ（または３１Ｃ）用の撮像・データ読み出し・スルー画像表示と、高精細スルー画像１３１Ｂ（または１３１Ｃ）用の撮像・データ読み出し・スルー画像表示とを時分割で交互に行う。これにより、精細度が異なる複数のスルー画像データを取得し、取得したデータに基づくスルー画像３１を表示できる。【００４７】
以上説明した実施形態によれば、次の作用効果が得られる。
（１）縮小スルー画像３１Ｂと、縮小スルー画像３１Ｂの一部の領域を縮小スルー画像３１Ｂより高解像度で表す高精細スルー画像（拡大画像）１３１Ｂとを、ＬＣＤモニタ１７にともに表示させるようにした。これにより、画像の所定範囲について異なる解像度で確認できる。【００４８】
（２）縮小スルー画像３１Ｂ用のデータ読み出しと、高精細スルー画像１３１Ｂ用のデータ読み出しとを、所定のフレームレートで時分割で交互に行って、それぞれの画像データに基づくスルー画像をＬＣＤモニタ１７に並べて表示させるようにした。これにより、異なる解像度の画像をリアルタイムに確認できる。【００４９】
（３）拡大表示が指示された場合に上記（２）を行うので、拡大表示が指示される前から複数の解像度の画像データを時分割で読み出す場合に比べて、処理の負担を軽くすることができる。【００５０】
（４）拡大表示中に拡大処理の終了が指示された場合には、スルー画像３１用の画像データのみを読み出すようにしたので、拡大表示の終了が指示された後も複数の解像度の画像データを時分割で読み出す場合に比べて、処理の負担を軽くすることができる。【００５１】
（５）スルー画像３１用の画像データのみを読み出す場合と、複数の解像度の画像データを時分割で読み出す場合とで、スルー画像３１用について画像データを読み出すタイミングを共通にしたので、読み出しタイミングを異ならせる場合に比べて、画像データの読み出し制御を簡単にすることができる。【００５２】
（６）縮小スルー画像３１Ｂに重ねて高精細スルー画像１３１Ｂの位置を示すマーク３２Ｂを表示させるようにしたので、どの領域を高精細に表示しているかをわかりやすく示せる。【００５３】
（７）高精細スルー画像１３１Ｂに重ねてマーク１３２Ｂを表示させるようにしたので、縮小スルー画像３１Ｂにおけるマーク３２Ｂとの間で対比しやすくなる。【００５４】
（８）縮小スルー画像３１Ｂと共通の範囲を共通の解像度で表す縮小静止画像３１Ｄをさらに表示するようにしたので、高精細スルー画像１３１Ｂの拡大表示領域の中心位置を移動させた場合でも、移動前の拡大表示領域の中心位置を縮小静止画像３１Ｄから知ることができる。【００５５】
（変形例１）
以上の説明では、ユーザーが拡大表示領域の中心位置を移動させた後でも、第２サブ領域１７ｃに縮小静止画像３１Ｄ（図６）を表示させることによって元の拡大表示領域の中心位置がユーザーにわかるようにしたので、ユーザーは十字スイッチ２２ｇを操作することによって拡大表示領域の中心位置を元の位置に移動させることができる旨を説明した。この代わりに、所定の操作（たとえば、ファンクションスイッチ２２ｄと他のスイッチ操作と組合わせる操作など）がなされると、十字スイッチ２２ｇを操作しなくても拡大表示領域の中心位置を元の位置へ復帰させるようにしてもよい。たとえば、所定の操作（ファンクションスイッチ２２ｄおよび所定のスイッチ操作）がなされた場合に、前述のステップＳ１０８において説明したマークの座標位置情報に基づいて、静止画像３１Ｃ内のマーク３２Ｃの位置（すなわち拡大領域）を自動的に変更させる。つまり、拡大表示領域の中心位置を縮小静止画像３１Ｄにおけるマークに対応する位置（元の位置）へ移動させる。このように構成すると、十字スイッチ２２ｇを操作しなくても、ただちに拡大表示領域の中心位置（すなわち領域１７ａに表示させる拡大表示領域）を元の位置へ復帰させることができる。【００５６】
（変形例２）
図６において縮小静止画像３１Ｄは、縮小スルー画像３１Ｃ用の画像データ、すなわち、ライブビュー表示のために撮像素子１２から読み出された画像データに基づいて生成するように説明した。この代わりに、図１０に例示するように、記憶媒体５１へ記録済みの画像ファイルに含まれる画像データに基づいて縮小静止画像３１Ｅを生成してもよい。この場合には、ユーザーが第２サブ領域１７ｃに表示される縮小静止画像３１Ｅによって過去の撮影時のフレーミング情報を知覚することができるから、その画像３１Ｅを確認しながらフレーミング操作することで、以前の撮影と同様のフレーミングで撮影することが可能になる。【００５７】
変形例２において、縮小スルー画像３１Ｆ（図１０）用のデータ読み出しと、高精細スルー画像１３１Ｆ（図１０）用のデータ読み出しとを所定のフレームレートで時分割に行ってそれぞれの画像データに基づくスルー画像をＬＣＤモニタ１７にともに表示させる点、縮小スルー画像３１Ｆ（図１０）に重ねて高精細スルー画像１３１Ｆ（図１０）の位置を示すマーク３２Ｄ（図１０）を表示させる点、および高精細スルー画像１３１Ｆ（図１０）に重ねてマーク１３２Ｄ（図１０）を表示させる点は、それぞれ図６の場合と同様である。【００５８】
（変形例３）
第２サブ領域１７ｃに縮小静止画像３１Ｄ（図６）を表示する代わりに、前回の拡大操作時にメイン表示領域１７ａに表示していた高精細スルー画像に基づく縮小静止画像を第２サブ領域１７ｃに表示させてもよい（図１１）。この場合のＣＰＵ２０は、図４に例示した表示画面を表示する状態で十字スイッチ２２ｇからの操作信号が入力された場合、この時点で第１サブ表示領域１７ｂに表示していた縮小スルー画像３１Ｂのデータをフラッシュメモリ１９に保存し、かつ、このデータに基づいた縮小静止画像３１Ｈを第３サブ領域１７ｄに縮小表示させる（図１１）。【００５９】
ＣＰＵ２０はさらに、上記十字スイッチ２２ｇからの操作信号が入力された時点でメイン表示領域１７ａに表示していた高精細スルー画像１３１Ｂ（図４）のデータを縮小処理したデータをフラッシュメモリ１９に保存し、このデータに基づいた縮小静止画像３１Ｇを第２サブ表示領域１７ｂに縮小表示させる（図１１）。なお、図１１では、縮小静止画像３１Ｇに、マーク１３２Ｂを重畳させて表示するものとしているが、このマークの重畳表示は行わないようにしてもよい。【００６０】
次にＣＰＵ２０は、十字スイッチ２２ｇからの操作信号に応じて、縮小スルー画像３１Ｂ（図４）に重ね表示しているマーク３２Ｂの表示位置を画面右の方向へ移動させて、移動後のマーク３２Ｃを含む縮小スルー画像３１Ｃを第１サブ表示領域１７ｂに表示させる（図１１）。これと同時に、ＣＰＵ２０は、マーク１３２Ｃを含む所定範囲の高精細スルー画像１３１Ｃをメイン表示領域１７ａに表示させる（図１１）。【００６１】
図１１は、変形例３の場合のＬＣＤモニタ１７による表示画面を例示する図である。高精細スルー画像１３１Ｃは、マーク３２Ｃに対応する所定範囲の撮像素子１２のデータのうち、ＬＣＤモニタ１７のメイン表示領域１７ａにおける表示画素数に応じて画素密度変換されたデータに基づいて表示されたものである。高精細スルー画像１３１Ｃ用のデータは、全画素読み出しされたものである。【００６２】
なお、マーク３２Ｃに対応する所定範囲に撮像素子１２が有する画素数と、メイン表示領域１７ａにおける表示画素数とが一致する場合には、画素密度変換処理は行わない。このように、マーク１３２Ｃを含む範囲がメイン表示領域１７ａに拡大表示される。【００６３】
変形例３によれば、ユーザーは、拡大表示領域の中心位置を移動させた後でも、第２サブ領域１７ｃに表示された縮小静止画像３１Ｇ（図１１）によって前回拡大表示されていた高精細スルー画像の概要を知ることができる。また、第３サブ領域１７ｄに表示された縮小静止画像３１Ｈ（図１１）によって前回の拡大表示領域の中心位置を知ることができる。これにより、たとえば、十字スイッチ２２ｇを操作することによって縮小スルー画像３１Ｃに重ね表示するマーク３２Ｃの位置を縮小静止画像３１Ｈに重ね表示されているマークの位置と揃えた場合には、拡大表示領域の中心位置を前回の拡大操作時の位置に移動させることが可能である。【００６４】
また、変形例１の場合と同様に、所定の操作（たとえば、ファンクションスイッチ２２ｄおよび所定スイッチの操作）がなされた場合に、拡大表示領域の中心位置を縮小静止画像３１Ｄにおけるマークに対応する位置へ移動させるように構成すれば、十字スイッチ２２ｇを操作しなくても、ただちに拡大表示領域の中心位置を前回の拡大操作時の位置へ復帰させることができる。【００６５】
以上の説明では種々の実施形態および変形例を説明したが、本発明はこれらの内容に限定されるものではない。本発明の技術的思想の範囲内で考えられるその他の態様も、本発明の範囲内に含まれる。
例えば、上記実施形態では、スルー画像（ライブビュー画像）をＬＣＤモニタ１７に表示中に拡大操作を行った場合についての動作を説明した。しかしながら本実施形態における電子カメラを、動画撮影中（動画記録中）でもＬＣＤモニタ１７に表示中の画像に対する拡大操作を許容する電子カメラとしている場合には、この動画撮影中においても、上述した実施形態や変形形態の処理を適用するようにしても良い。このように動画撮影中に上述の処理を行う態様も、本発明の範囲内に含まれる。
更に、一度の拡大操作で拡大表示される領域を、任意に設定変更できる態様も、本発明の範囲内に含まれる。例えば図３，４を参考に説明すると、上記実施形態では、拡大表示すべき領域の位置設定（マーク３２を画面内で移動させることによる設定）をした後で、拡大操作を一度行うと（ズームスイッチ（Ｔ）２２ｂの押下操作を行うと）、そのマーク３２を中心とした所定範囲の領域の高精細スルー画像１３１Ｂがメイン表示領域１７ａに拡大表示されるようになっている。つまり上記実施形態では、この一度の拡大操作で拡大される領域は、マーク３２を中心とした「所定（固定）範囲」に設定されている。しかしながらこの「所定範囲」は、固定されてものでなければならない理由はない。よって、この「所定範囲」を、使用者によって事前に（メニュー画面などで）、任意の範囲に設定変更できる態様も、本発明の範囲内に含まれる。【００６６】
次の優先権基礎出願の開示内容は引用文としてここに組み込まれる。
日本国特許出願２００８年第１５５１６３号（２００８年６月１３日出願）
【図１】
0005510318.tif 000002
【図２】
0005510318.tif 000003
【図３】
0005510318.tif 000004
【図４】
0005510318.tif 000005
【図５】
0005510318.tif 000006
【図６】
0005510318.tif 000007
【図７】
0005510318.tif 000008
【図８】
0005510318.tif 000009
【図９】
0005510318.tif 000010
【図１０】
0005510318.tif 000011
【図１１】
0005510318.tif 000012
【図１２】
0005510318.tif 000013